(57)【要約】      （修正有）【課題】材質が柔らかくて、粉砕しなくて、長持ちして丈夫で、ユーザーの体験を高めることができる珪藻土吸水ソフトマットを提供する。【解決手段】珪藻土吸水ソフトマットは内部に珪藻土粒子２が設けられている発泡ソフトマット本体１を含んでいる。発泡ソフトマット本体１の稜辺が丸角に設けられ、発泡ソフトマット本体１の一側の表面に滑り止め突起３が設けられている。珪藻土吸水ソフトマットは吸水性が強くて、材質が柔らかくて、弾力性がきわめて良くて、変形しなくて、洗浄可能で、長持ちして丈夫で、とても強いグリップ能力を備えて、ユーザーの体験を高めることができる。【選択図】図１
0003230009.tif 000002
【実用新案登録請求の範囲】
【請求項１】
内部に珪藻土粒子(2)が設けられている発泡ソフトマット本体（1）を含んでおり、前記発泡ソフトマット本体(1)は稜辺が丸角に設けられて、一方の側面に滑り止め突起(3)を設けていることを特徴とする珪藻土吸水ソフトマット。
【請求項２】
前記滑り止め突起(3)が点状を呈していることを特徴とする請求項１に述べられた珪藻土吸水ソフトマット。
【請求項３】
前記発泡ソフトマット本体（1）の前記滑り止め突起(3)に離れる面に布繊維層（6）が設けられていることを特徴とする請求項１に述べられた珪藻土吸水ソフトマット。
【請求項４】
順次に設けられている布繊維層（6）と、内部に珪藻土粒子（2）が設けられている発泡ソフトマット本体（1）を含む珪藻吸水層と、及び発泡滑り止め層（5）とを含んでいることを特徴とする珪藻土吸水ソフトマット。
【請求項５】
順次に設けられている珪藻吸水層、徐放揮発層（4）と発泡滑り止め層（5）を含んでいることを特徴とする珪藻土吸水ソフトマット。
【請求項６】
前記珪藻吸水層には、内部に珪藻土粒子（2）が設けられている発泡ソフトマット本体（1）を含んでいることを特徴とする請求項5に述べられた珪藻土吸水ソフトマット。
【請求項７】
前記発泡滑り止め層（5）には同様に前記珪藻土粒子（2）が設けられていることを特徴とする請求項6に述べられた珪藻土吸水ソフトマット。
【請求項８】
前記珪藻吸水層、徐放揮発層（4）と発泡滑り止め層（5）が一体に成形されていることを特徴とする請求項5に述べられた珪藻土吸水ソフトマット。
【考案の詳細な説明】
【技術分野】
【０００１】
本実用新案は珪藻マット分野に関わるものであるが、更に具体的には、珪藻土吸水ソフトマットに関わるものである。
【背景技術】
【０００２】
人間の環境保護意識が次第に高まっていることに従って、当面に市場において大量の珪藻土マットが出てきたが、珪藻土マットを浴室の入り口に置くと、足底の水分をきれいに吸収することができる。
【考案の概要】
【考案が解決しようとする課題】
【０００３】
しかし、当面の珪藻土マットは硬質のもので、壊れやすい物に属しているので、取り扱いに注意して、硬い物にぶつかってはいけない。粉砕になると、マットとして引き続き使うことができなくなる。
【０００４】
当面技術の不足に対して、本実用新案の目的は材質が柔らかくて、粉砕しなくて、長持ちして丈夫で、ユーザーの体験を高めることができる珪藻土吸水ソフトマットを提供することにある。
【課題を解決するための手段】
【０００５】
上記の目的を実現するために、本実用新案は下記の技術方案を提供する。
【０００６】
内部に珪藻土粒子が設けられている発泡ソフトマット本体を含んでいる珪藻土吸水ソフトマット。
【０００７】
更に、前記発泡ソフトマット本体の稜辺が丸角に設けられている。
【０００８】
更に前記発泡ソフトマット本体の一方の側面に滑り止め突起が設けられている。
【０００９】
更に、前記滑り止め突起が点状に呈している。
【００１０】
更に、前記発泡ソフトマット本体の前記滑り止め突起に離れる面に布繊維層が設けられている。
【００１１】
順次に設けられている布繊維層と、内部に珪藻土粒子が設けられている発泡ソフトマット本体を含む珪藻吸水層と、及び発泡滑り止め層とを含んでいる珪藻土吸水ソフトマット。
【００１２】
順次に設けられている珪藻吸水層、徐放揮発層と発泡滑り止め層を含んでいる珪藻土吸水ソフトマット。
【００１３】
更に、前記珪藻吸水層には、内部に珪藻土粒子が設けられている発泡ソフトマット本体を含んでいる。
【００１４】
更に、前記発泡滑り止め層には同様に前記珪藻土粒子が設けられている。
【００１５】
更に、前記珪藻吸水層、徐放揮発層と発泡滑り止め層が一体に成形されている。
【考案の効果】
【００１６】
上記のことをまとめて、本実用新案は下記の有利な効果を備えている。
【００１７】
吸水性の強い珪藻土粒子を発泡ソフトマット本体内に置くと、吸水と快速乾燥の特徴を持って、その上材質が柔らかくて、弾力性がきわめて良くて、変形しなくて、洗浄可能で、長持ちして丈夫で、強いグリップ能力を備えて、ユーザーの体験を高めることができる。
【図面の簡単な説明】
【００１８】
【図１】実施例１に係わる珪藻土吸水ソフトマットの構造説明図である。
【図２】実施例2に係わる珪藻土吸水ソフトマットの構造説明図である。
【図３】実施例3に係わる珪藻土吸水ソフトマットの構造説明図である。
【図４】実施例4に係わる珪藻土吸水ソフトマットの構造説明図である。
【符号の説明】
【００１９】
1、発泡ソフトマット本体、2、珪藻土粒子、3、滑り止め突起、4、徐放揮発層、5、発泡滑り止め層、6、布繊維層。
【考案を実施するための形態】
【００２０】
以下に図面を結び付けて本実用新案を更に詳しく説明する。
【００２１】
本具体的な実施例は本実用新案に対する説明だけであるが、本実用新案を制限するものではない。本分野の技術者はこの明細書を読んだ後に必要に応じて本実施例を創造的な貢献なしで修正することができる。しかし本実用新案の請求項の範囲内でさえあれば、特許法の保護を受けている。
【００２２】
実施例1
実施例1に係わる珪藻土吸水ソフトマットは図1を参照するが、それは内部に珪藻土粒子2が設けられている発泡ソフトマット本体1を含んでいる。珪藻土粒子2は、即ち、粉末状の珪藻土で、それが鉱物質で、分子レベルの呼吸孔を持って、吸着能力が活性炭の6000倍で、吸水性と通気性が強い。発泡ソフトマット本体1の稜辺が丸角に設けられているので、地面に置かれる時に、それを巻き起こすのに便宜を図る。発泡ソフトマット本体1の一側の表面に滑り止め突起3が設けられているが、本実施では滑り止め突起3が点状を呈している。滑り止め突起3は発泡ソフトマット本体1の表面の摩擦力を高めることができるとともに、地面との接触面積を減らすことができるので、それを巻き起こすのに便宜を図る。
【００２３】
図1を参照して、発泡ソフトマット本体1はポリエステルの材料で発泡して製造されたものなので、性質が柔らかい特性を持っている。ポリエステルの材料はTPE、ゴム、PVCやエマルジョンなどを選ぶことができるが、その中の1種や多種の材質を混合して製造することができる。
【００２４】
実施例2
実施例2に係わる珪藻土吸水ソフトマットは図2を参照して、実施例1を基礎にしている。本実施例は実施例1との違いとして、発泡ソフトマット本体1の表面に布繊維層6が設けられているのである。布繊維層6と発泡ソフトマット本体1は熱圧着や接着剤による接着で接続している。天気の寒い季節に、布繊維層6の設置は足の快適性を高めることができる。
【００２５】
実施例3
実施例3に係わる珪藻土吸水ソフトマットは図3を参照して、順次に設けられている布繊維層6、珪藻吸水層と発泡滑り止め層5を含んでいる。珪藻吸水層には、内部に珪藻土粒子が設けられている発泡ソフトマット本体を含んでいる。発泡滑り止め層5は地面に接触して、マットの滑り止め効果を高めることができる。
【００２６】
実施例4
実施例4に係わる珪藻土吸水ソフトマットは図4を参照して、実施例1を基礎にしているが、それは順次に設けられている珪藻吸水層、徐放揮発層4と発泡滑り止め層5を含んでいる。珪藻吸水層には、内部に珪藻土粒子2が設けられている発泡ソフトマット本体1を含んでいる。本実施例では、発泡滑り止め層5に同様に珪藻土粒子2が設けられており、且つ珪藻吸水層、徐放揮発層4と発泡滑り止め層5が一体に成形されている。徐放揮発層4はエマルジョン層で、エマルジョンより出した香りによって、虫が近づけたくなくて、細菌やコナダニが付着することができない。
【図１】
0003230009.tif 000003
【図２】
0003230009.tif 000004
【図３】
0003230009.tif 000005
【図４】
0003230009.tif 000006